(57)【特許請求の範囲】
【請求項１】
上部に太陽発電パネルの取付けが可能な太陽発電パネルの取付架台において、
平行にかつそれぞれ前部から後部に向けて配置され、開口部の両側にそれぞれフランジ部が形成された断面Ｃ字状の縦桟と、
上記各縦桟の前部を支持するとともに、上記縦桟と直交する向きに配置される横桟と、
上記縦桟の両フランジ部の外側に配置される取付板部、及び上記縦桟の下部から下方に向けて突出形成される支持板部を有し、この取付板部に設けた孔部からボルトを挿通して、上記両フランジ部の内側に配置された内部ナットを締め付け、上記両フランジ部を挟持した状態で固定される縦桟金具と、
上記横桟に配置される取付板部、及び上記横桟の上部から上方に向けて突出形成される支持板部を有し、上記取付板部が上記横桟に固定される横桟金具と、を具備し、
上記縦桟金具の支持板部と上記横桟金具の支持板部同士を合せ、各支持板部に設けられた孔部にボルト又はピンを挿通し両者を連結したことを特徴とする太陽発電パネルの取付架台。
【請求項２】
上部に太陽発電パネルの取付けが可能な太陽発電パネルの取付架台において、
平行にかつそれぞれ前部から後部に向けて配置される縦桟と、
上記各縦桟の前部を支持するとともに、上記縦桟と直交する向きに配置され、開口部の両側にそれぞれフランジ部が形成された断面Ｃ字状の横桟と、
上記縦桟に配置される取付板部、及び上記縦桟の下部から下方に向けて突出形成される支持板部を有し、上記取付板部が上記縦桟に固定される縦桟金具と、
上記横桟の両フランジ部の外側に配置される取付板部、及び上記横桟の上部から上方に向けて突出形成される支持板部を有し、この取付板部に設けた孔部からボルトを挿通して、上記両フランジ部の内側に配置された内部ナットを締め付け、上記両フランジ部を挟持した状態で固定される横桟金具と、を具備し、
上記縦桟金具の支持板部と上記横桟金具の支持板部同士を合せ、各支持板部に設けられた孔部にボルト又はピンを挿通し両者を連結したことを特徴とする太陽発電パネルの取付架台。
【請求項３】
上部に太陽発電パネルの取付けが可能な太陽発電パネルの取付架台において、
平行にかつそれぞれ前部から後部に向けて配置され、開口部の両側にそれぞれフランジ部が形成された断面Ｃ字状の縦桟と、
上記各縦桟の前部を支持するとともに、上記縦桟と直交する向きに配置され、開口部の両側にそれぞれフランジ部が形成された断面Ｃ字状の横桟と、
上記縦桟の両フランジ部の外側に配置される取付板部、及び上記縦桟の下部から下方に向けて突出形成される支持板部を有し、この取付板部に設けた孔部からボルトを挿通して、上記両フランジ部の内側に配置された内部ナットを締め付け、上記両フランジ部を挟持した状態で固定される縦桟金具と、
上記横桟の両フランジ部の外側に配置される取付板部、及び上記横桟の上部から上方に向けて突出形成される支持板部を有し、この取付板部に設けた孔部からボルトを挿通して、上記両フランジ部の内側に配置された内部ナットを締め付け、上記両フランジ部を挟持した状態で固定される横桟金具と、を具備し、
上記縦桟金具の支持板部と上記横桟金具の支持板部同士を合せ、各支持板部に設けられた孔部にボルト又はピンを挿通し両者を連結したことを特徴とする太陽発電パネルの取付架台。
【請求項４】
上記縦桟を、上記両フランジ部が下部に位置するように配置し、
上記縦桟金具は、上記取付板部、及びこの取付板部の左右の部位からそれぞれ下向きに屈曲形成された上記支持板部を有するとともに、この取付板部を上記縦桟の両フランジ部の下部に配置し、上記取付板部に設けた孔部からボルトを挿通して、これら両フランジ部の内側に回転が阻止される形態で配置された上記内部ナットを締め付け、上記縦桟の両フランジ部を挟持した状態でこの縦桟金具を上記縦桟に固定し、
上記横桟を、上記両フランジ部が下部に位置するように配置し、
上記横桟金具は、基板部、この基板部の左右両側からそれぞれ上向きに屈曲形成された上記支持板部、及び上記基板部の一方端部から下向きに形成された縦板部の端部を横向きに屈曲して形成された上記取付板部を有するとともに、この取付板部を上記横桟の両フランジ部の下部に配置し、上記取付板部に設けた孔部からボルトを挿通して、これら両フランジ部の内側に回転が阻止される形態で配置された上記内部ナットを締め付け、上記横桟の両フランジ部を挟持した状態でこの横桟金具を上記横桟に固定したことを特徴とする請求項３記載の太陽発電パネルの取付架台。
【請求項５】
取付板部、及びこの取付板部の一端部から上向きに形成された縦板部の上端部から横向きに屈曲形成された固定板部を有するパネル固定金具、及びプレート体にネジ孔部が形成された内部ナットを用い、
この内部ナットを、上記縦桟の両フランジ部の内側に回転が阻止される形態で配置する一方、上記パネル固定金具の取付板部を上記縦桟の両フランジ部の下部に配置し、この取付板部に設けた孔部からボルトを挿通して上記内部ナットを締め付け、上記縦桟の両フランジ部を挟持した状態でこのパネル固定金具を上記縦桟に固定し、
上記パネル固定金具の上記固定板部に上記太陽発電パネルを取り付けることを特徴とする請求項４記載の太陽発電パネルの取付架台。
【請求項６】
取付板部、及びこの取付板部の左右の部位からそれぞれ下向きに屈曲形成された支持板部を有する縦桟金具、プレート体にネジ孔部が形成された内部ナット、及び上端部に平行な支持板部が形成された支持柱を用い、
上記各縦桟の後部に、それぞれ上記内部ナットを上記縦桟の両フランジ部の内側に回転が阻止される形態で配置する一方、上記縦桟金具の取付板部を上記各縦桟の両フランジ部の下部に配置し、この取付板部に設けた孔部からボルトを挿通して上記内部ナットを締め付け、上記縦桟の両フランジ部を挟持した状態で上記縦桟金具を上記縦桟に固定し、
上記縦桟に取り付けた上記縦桟金具の支持板部と上記支持柱の支持板部同士を合せ、各支持板部に設けられた孔部にボルト又はピンを挿通し両者を連結したことを特徴とする請求項４又は５記載の太陽発電パネルの取付架台。
【発明の詳細な説明】
【技術分野】
【０００１】
本発明は、建物の屋上等に設置される太陽発電パネルの取付架台に関する。
【背景技術】
【０００２】
太陽発電パネルは、取付架台を用いて住宅の屋根（瓦屋根等）或いは屋上等に設置される。この取付架台は、バー材を枠状に組み合せて架台を構成し、この架台を設置具を介して屋根等に取り付け、この架台の上部に太陽発電パネルを固定する。太陽発電パネルは、太陽光を効率よく受けるように所定の角度を設けて取付けられる。
【０００３】
従来、例えば特許文献１に記載の太陽電池取付架台装置は図１５に示すように、矩形枠状に形成した取付フレーム１９２、複数平行に配置した取付ビーム１９３、上記取付フレーム１９２の一方端に取り付けた低脚支柱１９４、他方端に取り付けた高脚支柱１９５などにより、所定角度前傾させて架台を構成したものである。
【０００４】
上記取付フレーム１９２を支持する低脚（高脚）支柱は、脚支柱１９６と、この脚支柱に縦方向角形鋼管１９７を約２０°の傾斜角度で固定支持（ボルト締め）する支持プレート１９８とによって構成されている。
【０００５】
特許文献２に記載の太陽電池パネル取付け架台は、上面適所に長手方向に所定長さのスリットを設けた支持杆材を用い、この支持杆材の低部を支持部上に載置すると共に、支持ボルトを下方よりスリットへ挿通し、スリットに沿って支持杆材をその長手方向（屋根の流れ方向に相当）へスライドして位置決めを行うというものである。
【０００６】
また特許文献３には太陽電池モジュール用架台の記載があり、支柱に固着されたブラケットは、一対の側壁を有し、各側壁には、支柱の長さ方向に沿って複数の孔が所定間隔をおいて設けられ、ブラケットの各孔のうち上側に位置する孔を選択すると、支え棒が太陽電池モジュールを押し上げ傾斜角度を大きくするというものである。
【０００７】
特許文献４には、太陽光発電パネルなどの屋根上載置物固定装置に関し、屋根材上に設置されたベースプレートにレール溝を形成し、ねじ部がベースプレートから突出した支持ボルトを、屋根の流れ方向の位置調整可能にベースプレートに立設したものが記載されている。
【先行技術文献】
【特許文献】
【０００８】
【特許文献１】特開２０００−１０１１２３
【特許文献２】特開２００３−２３９４８２
【特許文献３】特開平８−１７０７９０
【特許文献４】実用新案登録第３１５１８３６号
【発明の概要】
【発明が解決しようとする課題】
【０００９】
しかし、上記特許文献１のように、部材同士をボルト等を用いて固定する場合には、現場において、バー材などにボルト用の孔開けの加工を行う必要があり、このため作業に手間がかかり施工性が悪いという問題がある。また、現場の規模などにより架台のサイズが異なる場合には、現場ごとにある程度バー材の加工をしなければならないという問題がある。
【００１０】
予め孔開け加工を施したバー材を用いる方法もあるが、この場合、実際に現場で施工をはじめると、孔の位置が合わないといった孔ずれの問題も予想され、また予め加工したバー材を在庫としてストックするなどの必要も生じる。
【００１１】
上記問題を解消するために、上記特許文献２のように、支持杆材の長手方向にスリットを設けたものを使用し、位置決めを自由にすることも提案されている。しかしこの場合、強度を維持するためには、スリット（長孔）の長さ、また長孔同士の間隔には限度があり、位置の調整を全く自由に行えるというものではない。
また、上記何れの方法であっても、バー材などに孔を開ける必要があるため、加工性、生産性（価格）さらには施工性も悪いという問題がある。
【００１２】
架台の傾斜角度の調整に関し、上記特許文献３のように材料に複数の孔を設ける方法があるが、これについても材料に孔を開ける必要があるため、加工性、施工性が悪いという問題がある。位置調整を可能にするため、上記特許文献４の固定装置は、ベースプレートにレール溝を形成するものであるが、この方法においても構造が複雑であり、加工性が悪いという問題がある。
【００１３】
本発明は上記問題点を解決するためになされたものであり、加工が容易で生産性にも優れ、併せて拡張性及び施工性にも優れた太陽発電パネルの取付架台を提供することを目的とする。
【課題を解決するための手段】
【００１４】
以上の技術的課題を解決するため、本発明に係る太陽発電パネルの取付架台は、図１，２，３等に示すように、上部に太陽発電パネルの取付けが可能な太陽発電パネルの取付架台において、平行にかつそれぞれ前部から後部に向けて配置され、開口部の両側にそれぞれフランジ部が形成された断面Ｃ字状の縦桟２，１０２と、上記各縦桟の前部を支持するとともに、上記縦桟と直交する向きに配置される横桟４，１０４と、上記縦桟の両フランジ部の外側に配置される取付板部、及び上記縦桟の下部から下方に向けて突出形成される支持板部を有し、この取付板部に設けた孔部からボルトを挿通して、上記両フランジ部の内側に配置された内部ナット１０，１１０，１１４を締め付け、上記両フランジ部を挟持した状態で固定される縦桟金具６，１０６と、上記横桟に配置される取付板部、及び上記横桟の上部から上方に向けて突出形成される支持板部を有し、上記取付板部が上記横桟に固定される横桟金具８，１０８と、を具備し、上記縦桟金具の支持板部と上記横桟金具の支持板部同士を合せ、各支持板部に設けられた孔部にボルト又はピンを挿通し両者を連結した構成である。
【００１５】
本発明に係る太陽発電パネルの取付架台は、図１，２，３等に示すように、上部に太陽発電パネルの取付けが可能な太陽発電パネルの取付架台において、平行にかつそれぞれ前部から後部に向けて配置される縦桟２，１０２と、上記各縦桟の前部を支持するとともに、上記縦桟と直交する向きに配置され、開口部の両側にそれぞれフランジ部が形成された断面Ｃ字状の横桟４，１０４と、上記縦桟に配置される取付板部、及び上記縦桟の下部から下方に向けて突出形成される支持板部を有し、上記取付板部が上記縦桟に固定される縦桟金具６，１０６と、上記横桟の両フランジ部の外側に配置される取付板部、及び上記横桟の上部から上方に向けて突出形成される支持板部を有し、この取付板部に設けた孔部からボルトを挿通して、上記両フランジ部の内側に配置された内部ナット１０，１１０，１１４を締め付け、上記両フランジ部を挟持した状態で固定される横桟金具８，１０８と、を具備し、上記縦桟金具の支持板部と上記横桟金具の支持板部同士を合せ、各支持板部に設けられた孔部にボルト又はピンを挿通し両者を連結した構成である。
【００１６】
本発明に係る太陽発電パネルの取付架台は、図１，２，３等に示すように、上部に太陽発電パネルの取付けが可能な太陽発電パネルの取付架台において、平行にかつそれぞれ前部から後部に向けて配置され、開口部の両側にそれぞれフランジ部が形成された断面Ｃ字状の縦桟２，１０２と、上記各縦桟の前部を支持するとともに、上記縦桟と直交する向きに配置され、開口部の両側にそれぞれフランジ部が形成された断面Ｃ字状の横桟４，１０４と、上記縦桟の両フランジ部の外側に配置される取付板部、及び上記縦桟の下部から下方に向けて突出形成される支持板部を有し、この取付板部に設けた孔部からボルトを挿通して、上記両フランジ部の内側に配置された内部ナット１０，１１０，１１４を締め付け、上記両フランジ部を挟持した状態で固定される縦桟金具６，１０６と、上記横桟の両フランジ部の外側に配置される取付板部、及び上記横桟の上部から上方に向けて突出形成される支持板部を有し、この取付板部に設けた孔部からボルトを挿通して、上記両フランジ部の内側に配置された内部ナット１０，１１０，１１４を締め付け、上記両フランジ部を挟持した状態で固定される横桟金具８，１０８と、を具備し、上記縦桟金具の支持板部と上記横桟金具の支持板部同士を合せ、各支持板部に設けられた孔部にボルト又はピンを挿通し両者を連結した構成である。
【００１７】
本発明に係る太陽発電パネルの取付架台において、上記縦桟２を、上記両フランジ部が下部に位置するように配置し、上記縦桟金具６は、上記取付板部、及びこの取付板部の左右の部位からそれぞれ下向きに屈曲形成された上記支持板部を有するとともに、この取付板部を上記縦桟の両フランジ部の下部に配置し、上記取付板部に設けた孔部からボルトを挿通して、これら両フランジ部の内側に回転が阻止される形態で配置された上記内部ナットを締め付け、上記縦桟の両フランジ部を挟持した状態でこの縦桟金具を上記縦桟に固定し、上記横桟２を、上記両フランジ部が下部に位置するように配置し、上記横桟金具８は、基板部、この基板部の左右両側からそれぞれ上向きに屈曲形成された上記支持板部、及び上記基板部の一方端部から下向きに形成された縦板部の端部を横向きに屈曲して形成された上記取付板部を有するとともに、この取付板部を上記横桟の両フランジ部の下部に配置し、上記取付板部に設けた孔部からボルトを挿通して、これら両フランジ部の内側に回転が阻止される形態で配置された上記内部ナットを締め付け、上記横桟の両フランジ部を挟持した状態でこの横桟金具を上記横桟に固定した構成である。
【００１８】
本発明に係る太陽発電パネルの取付架台は、取付板部、及びこの取付板部の一端部から上向きに形成された縦板部の上端部から横向きに屈曲形成された固定板部を有するパネル固定金具１２、及びプレート体にネジ孔部が形成された内部ナット１０を用い、この内部ナットを、上記縦桟の両フランジ部の内側に回転が阻止される形態で配置する一方、上記パネル固定金具の取付板部を上記縦桟の両フランジ部の下部に配置し、この取付板部に設けた孔部からボルトを挿通して上記内部ナットを締め付け、上記縦桟の両フランジ部を挟持した状態でこのパネル固定金具を上記縦桟に固定し、上記パネル固定金具１２の上記固定板部に上記太陽発電パネルを取り付ける構成である。
【００１９】
本発明に係る太陽発電パネルの取付架台は、取付板部、及びこの取付板部の左右の部位からそれぞれ下向きに屈曲形成された支持板部を有する縦桟金具６、プレート体にネジ孔部が形成された内部ナット１０、及び上端部に平行な支持板部が形成された支持柱１８を用い、上記各縦桟の後部に、それぞれ上記内部ナットを上記縦桟の両フランジ部の内側に回転が阻止される形態で配置する一方、上記縦桟金具の取付板部を上記各縦桟の両フランジ部の下部に配置し、この取付板部に設けた孔部からボルトを挿通して上記内部ナットを締め付け、上記縦桟の両フランジ部を挟持した状態で上記縦桟金具を上記縦桟に固定し、上記縦桟に取り付けた上記縦桟金具の支持板部と上記支持柱１８の支持板部同士を合せ、各支持板部に設けられた孔部にボルト又はピンを挿通し両者を連結した構成である。
【発明の効果】
【００２０】
本発明に係る太陽発電パネルの取付架台によれば、断面Ｃ字状の縦桟、横桟、ボルトを挿通して縦桟の両フランジ部の内側に配置された内部ナットを締め付けて固定される縦桟金具、横桟に固定される横桟金具を具備し、縦桟金具の支持板部と横桟金具の支持板部同士を合せ、各支持板部に設けられた孔部にボルト又はピンを挿通し両者を連結した構成を採用したから、縦桟等に孔を設ける必要がなく構造が簡単で加工性に優れ、縦桟の長手方向の自由な箇所で両者を連結することができるため拡張性に優れ、また縦桟金具及び横桟金具等の取付けも容易で作業効率が良いため施工性にも優れ、加えて縦桟の傾斜角度も自由に変えられ利便性にも優れるという効果を奏する。
【００２１】
本発明に係る太陽発電パネルの取付架台によれば、縦桟、断面Ｃ字状の横桟、縦桟に固定される縦桟金具、ボルトを挿通して横桟の両フランジ部の内側に配置された内部ナットを締め付けて固定される横桟金具を具備し、縦桟金具の支持板部と横桟金具の支持板部同士を合せ、各支持板部に設けられた孔部にボルト又はピンを挿通し両者を連結した構成を採用したから、横桟等に孔を設ける必要がなく構造が簡単で加工性に優れ、横桟の長手方向の自由な箇所で両者を連結することができるため拡張性に優れ、また縦桟金具及び横桟金具等の取付けも容易で作業効率が良いため施工性にも優れ、加えて縦桟の傾斜角度も自由に変えられ利便性にも優れるという効果を奏する。
【００２２】
本発明に係る太陽発電パネルの取付架台によれば、断面Ｃ字状の縦桟、断面Ｃ字状の横桟、ボルトを挿通して縦桟の両フランジ部の内側に配置された内部ナットを締め付けて固定される縦桟金具、ボルトを挿通して横桟の両フランジ部の内側に配置された内部ナットを締め付けて固定される横桟金具を具備し、縦桟金具の支持板部と横桟金具の支持板部同士を合せ、各支持板部に設けられた孔部にボルト又はピンを挿通し両者を連結した構成を採用したから、縦桟等に孔を設ける必要がなく構造が簡単で加工性に優れ、縦桟及び横桟のそれぞれ長手方向の自由な箇所で両者を連結することができるため拡張性に優れ、また縦桟金具及び横桟金具等の取付けも容易で作業効率が良いため施工性にも優れ、加えて縦桟の傾斜角度も自由に変えられ利便性にも優れるという効果を奏する。
【００２３】
本発明に係る太陽発電パネルの取付架台によれば、縦桟を両フランジ部が下部に位置するように配置し、縦桟金具の取付板部を縦桟の両フランジ部の下部に配置し、ボルトを挿通して内部ナットを締め付け、縦桟の両フランジ部を挟持した状態でこの縦桟金具を縦桟に固定し、横桟を両フランジ部が下部に位置するように配置し、ボルトを挿通して内部ナットを締め付け、横桟の両フランジ部を挟持した状態でこの横桟金具を横桟に固定した構成を採用したから、上記と同様の効果が得られると共に、縦桟及び横桟の強度が良好に確保され、縦桟金具の縦桟への取り付け及び横桟金具の横桟への取り付けも容易にかつ確実に行えるという効果がある。
【００２４】
本発明に係る太陽発電パネルの取付架台によれば、パネル固定金具の取付板部を縦桟の両フランジ部の下部に配置し、ボルトを挿通して縦桟の内側に配置された内部ナットを締め付け、縦桟の両フランジ部を挟持した状態でこのパネル固定金具を縦桟に固定し、パネル固定金具の固定板部に太陽発電パネルを取り付けた構成を採用したから、縦桟に対するパネル固定金具の取り付けが容易に行え、かつ取り付け位置を自由に設定できるため、太陽発電パネルの固定位置が自在となり利便性が良いという効果がある。
【００２５】
本発明に係る太陽発電パネルの取付架台によれば、内部ナットを縦桟の内側に配置し、縦桟金具の取付板部を縦桟の両フランジ部の下部に配置し、ボルトを挿通して内部ナットを締め付け縦桟金具を縦桟に固定し、縦桟金具の支持板部と支持柱の支持板部同士を合せ、各支持板部に設けられた孔部にボルト又はピンを挿通し両者を連結した構成を採用したから、縦桟に対する縦桟金具の取付け位置を容易に縦桟の長手方向にずらすことができ、またこれによって縦桟の角度を容易に変更できて利便性が良いという効果がある。
【図面の簡単な説明】
【００２６】
【図１】本発明の実施の形態に係る太陽発電パネルの取付架台の全体図である。
【図２】実施の形態に係る太陽発電パネルの取付架台の、支持脚に横桟を取り付ける形態を示す図である。
【図３】実施の形態に係る太陽発電パネルの取付架台の、縦桟と横桟との接続形態を示す図である。
【図４】実施の形態に係る太陽発電パネルの取付架台の、縦桟と横桟とを接続した状態を示す図である。
【図５】実施の形態に係る縦桟金具（ａ）及び他の形状の縦桟金具(ｂ)を示す図である。
【図６】実施の形態に係る太陽発電パネルの取付架台に係り、支持柱の下部と柱受横桟との接続形態、及び支持柱と補助柱との接続形態を示す図である。
【図７】実施の形態に係る、支持柱を示す図である。
【図８】実施の形態に係る太陽発電パネルの取付架台に係り、縦桟の後端部と支持柱の上部との接続形態を示す図である。
【図９】実施の形態に係る太陽発電パネルの取付架台に係り、縦桟の中間部における縦桟と補助柱の上端部との接続形態を示す図である。
【図１０】実施の形態に係る太陽発電パネルの取付架台に、太陽発電パネルを取り付けた状態を示す図である。
【図１１】他の実施の形態に実施に係る太陽発電パネルの取付架台の、縦桟と横桟との接続形態を示す図である。
【図１２】他の形態に係る縦桟金具（ａ）、横桟金具（ｂ）及び内部ナット（ｃ）を示す図である。
【図１３】他の実施の形態に実施に係る太陽発電パネルの取付架台の、柱受横桟と支持柱、及び柱受横桟と支持脚との接続形態を示す図である。
【図１４】他の形態に係る横桟金具（ａ）、内部ナット（ｂ）及び横桟受け金具（ｃ）を示す図である。
【図１５】従来例に係る太陽電池パネル取付架台装置を示す図である。
【発明を実施するための形態】
【００２７】
以下、本発明に係る太陽発電パネルの取付架台１の実施の形態を図面に基づいて説明する。
図１は、上記太陽発電パネルの取付架台１の全体を示すものである。この取付架台１は、前部側から後部側にかけて緩やかに上昇する傾斜形状をなしている。
【００２８】
この太陽発電パネルの取付架台１は、図１〜８等に示すように、平行かつ前後向きに配置される縦桟２、この縦桟２の前側端部近傍を支持する横桟４、上記縦桟２に取付けられる縦桟金具６、上記横桟に取付けられる横桟金具８、内部ナット１０、パネル固定金具１２、横桟受け金具１４、支持脚１６、上記縦桟２の後側端部近傍を支持する支持柱１８、この支持柱１８を支持する柱受横桟２０、及び上記縦桟２を補助的に支持する補助柱２２を有する。この取付架台１の上記各部材は、何れも鋼材が用いられている。
【００２９】
上記縦桟２は、上板部２６、左右の側板部２７，２７、及び左右の両フランジ部２８，２８からなる断面Ｃ字状の長尺状の鋼材である。この縦桟２は、全体に断面が略矩形状（又は正方形状）であり、両フランジ部２８，２８同士の間は開口し溝部３０が形成されている。
上記横桟４及び柱受横桟２０は、上板部３２、左右の側板部３３，３３、及びフランジ部３４，３４からなる断面Ｃ字状の長尺状の鋼材である。この横桟４は、全体に断面が略矩形状（又は正方形状）であり、両フランジ部３４，３４同士の間は開口し溝部３６が形成されている。
【００３０】
上記縦桟金具６は、図５（ａ）等にも示すように、長方形状の取付板部３８の左右両側から支持板部４０，４０が直角かつ下向に平行に屈曲形成された鋼材である。また、この取付板部３８は一部に延長部３９が形成されている。そして、縦桟金具６の取付板部３８の中央部付近には突起片４１が、また取付板部３８の延長部３９の先端部の中央にも突起片４２がそれぞれ上向に屈曲形成されている。また、上記取付板部３８の延長部３９の中央には孔部４３が形成され、上記各支持板部４０にもそれぞれ中央部に孔部４４が形成されている。
【００３１】
この縦桟金具６では、両支持板部４０，４０の孔部４４，４４同士を結ぶ線上から少しはなれた位置（延長部３９を設け）に取付板部３８の孔部４３を設けることで、各孔部に対するボルトの締結作業に支障のないようにしている。
なお、上記縦桟金具６は、取付板部３８に延長部３９を設けたが、これは図５（ｂ）に示す縦桟金具７のように、上記延長部３９を設けない取付板部を有する形態であってもよく、この場合には、矩形状の取付板部３８、支持板部４０，４０を有し、この取付板部３８の左右端部にそれぞれ突起片４１、突起片４２が上向に屈曲形成された形状である。
【００３２】
上記横桟金具８は、矩形状の基板部４６の左右両側から支持板部４８，４８が直角かつ上向に平行に屈曲形成され、また基板部４６の一方端部から直角下向きに縦板部４７が形成され、さらに横向きに屈曲して取付板部５０が形成されている。
上記両支持板部４８，４８にはそれぞれ中央部に孔部４９が形成され、上記取付板部５０の中央にも孔部５１が形成されている。
【００３３】
上記内部ナット１０は、平面が矩形状で断面コ字状のプレート体５２の表面にナット５４を固着して両者を一体化したものである。このプレート体５２は、矩形状の基板部５５の左右側からそれぞれ略直角方向に屈曲片５６，５６が形成され、基板部５５の中央には孔部が形成されている。そして、このプレート体５２の基板部５５には、屈曲片５６が形成された側に、ネジ孔部５３（ナット５４の）と基板部５５の孔部とが孔同士貫通する状態で配置されたナット５４が、溶接或いはかしめにより固着されている。
【００３４】
上記パネル固定金具１２は、取付板部５８の一端部が上方に屈曲して屈曲片６０を形成する一方、他端部は上方に向けて縦板部６１が屈曲形成され、この縦板部６１の上端部から横向きに固定板部６２が屈曲形成された鋼材である。また、上記取付板部５８の中央には孔部６３が形成され、上記固定板部６２の中央部には横向きに長い長孔６４が形成されている。
【００３５】
上記横桟受け金具１４は、長方形状の底板部６６、及びこの長辺側からそれぞれ上方に屈曲形成される側板部６７，６７からなる断面コ字形の鋼材である。この底板部６６には、左右（長尺方向）の２箇所に孔部６８，６８が形成されている。
上記支持脚１６は、円板状の台座７０に中央からボルト材７２が突出形成された形状であり、このボルト材７２には締付け用のナット７４が取り付けられている。
【００３６】
上記支持柱１８は、図７に示すように、背板部６５、左右の側板部７７，７７からなる断面コ字状（上部側）及び、背板部６５、左右の側板部７７，７７、及びフランジ部７８，７８からなる断面Ｃ字状（中央部及び下部側）の柱状鋼材である。また、上記両フランジ部７８，７８同士の間は開口し溝部７９が形成されている。
この支持柱１８の上端部には両側板部のみが平行に突出した支持板部８０，８０が形成された形状であり、各支持板部８０の中央部にはそれぞれ孔部８１が形成されている。また、支持柱１８の下端部には両側板部のみが平行に突出した支持板部７５，７５が形成された形状であり、各支持板部７５の中央部にはそれぞれ孔部７６が形成されている。
【００３７】
上記補助柱２２は、背板部８２、左右の側板部８３，８３からなる断面コ字状の柱材である。この補助柱２２の上端部及び下端部は、それぞれ両側板部のみが平行に突出した支持板部８４，８４が形成された形状であり、各支持板部８４の中央部にはそれぞれ孔部８１，８５が形成されている。
【００３８】
この取付架台１の基本形態は、縦桟（前後向き）を所定間隔をおいて平行に配置し、これら横桟の前側の端部近傍を、横向きに配置した横桟の上部に配置して両者を連結し、一方、両縦桟の後部近傍を、それぞれ支持柱で支持した形状である。
なお、ここでは縦桟を２本平行に配置した形態を示したが、これらと同様な取付形態により縦桟の数を増加（平行）することができる。
【００３９】
図２は、支持脚１６に横桟４を取り付ける形態を示したものである。
この横桟４は、左右方向かつフランジ部３４，３４を下側に向けて配置される。支持脚１６は、横桟受け金具１４を用いて横桟４の両端部の近傍にそれぞれ取り付ける。
先ず、横桟受け金具１４の両側板部６７，６７によって横桟４の両側板部３３，３３を挟み、底板部６６によって横桟４の下面を保持するように配置する。
【００４０】
そして、横桟４の一端部から、横桟４の内部（フランジ部の上部）に２個の内部ナット１０を配置する。これら内部ナット１０は、それぞれ屈曲片５６，５６を横桟４の側板部３３，３３に沿う形態で手前側と奥側に配置する。また、各内部ナット１０，１０のネジ孔部５３は、それぞれ横桟４のフランジ部３４，３４を介した下部の横桟受け金具１４の底板部６６の２つの孔部６８，６９の位置とそれぞれ合うようにする。
これら内部ナット１０を用いて、横桟４に横桟受け金具１４を装着し、併せて支持脚１６に横桟４を固定する。
【００４１】
ここで、下方から横桟受け金具１４の底板部６６の孔部６８にボルト９０を差し込み、横桟４のフランジ部２８，２８を介した上部の手前側の内部ナット１０のネジ孔部５３に螺着する。このボルト９０を強く締結する前には、横桟受け金具１４は内部ナット１０とともに、横桟４の溝部３６に沿って左右に移動可能である。そして、所望する固定位置に横桟受け金具１４を移動させた後、工具を用いてボルト９０を内部ナット１０に強く締結して横桟受け金具１４を横桟４に取付ける。この状態で、横桟４のフランジ部２８，２８が、内部ナット１０と横桟受け金具１４の底板部６６とによって挟持され、横桟受け金具１４が横桟４に固定される。
【００４２】
次に、支持脚１６のボルト材７２を横桟受け金具１４の底板部６６の奥側の孔部６８から差し込み、上部の奥側の内部ナット１０のネジ孔部５３に螺着する。これと併せて、工具を用い、ボルト材７２に取り付けられたナット９４を回すと、横桟４のフランジ部２８，２８が、内部ナット１０と横桟受け金具１４の底板部６６とによって挟持され、同時に支持脚１６が固定される。なお、ナット７４にワッシャー９１を介在させてもよい。
このように、横桟４に固定した横桟受け金具１４を介して、横桟４を支持脚１６に固定することで、支持脚１６の固定が強固になる。
【００４３】
図３は、上記縦桟２と横桟４との交差部における接続形態を示すものである。
横桟４は左右方向かつフランジ部３４，３４を下側に向けて配置されており、この横桟の一方側端部の近傍に上記横桟金具８を取り付ける。先ず、横桟４の内部（フランジ部３４の上部）に内部ナット１０を配置する。この内部ナット１０は、屈曲片５６，５６を横桟の側板部に沿う形状に配置する。この内部ナット１０は、プレート体５２が矩形状に形成されており、横桟４の内部ではこのプレート体５２の端部が横桟４の側板部に当たって回転は阻止される。
【００４４】
次に、横桟金具８を、その基板部４６と取付板部５０によって横桟の上面部及び下面部を挟む状態で、横から横桟にはめ込む。このとき、上記内部ナット１０の真下に横桟金具８の取付板部５０が位置するように配置する。
【００４５】
さらに、横桟金具８の下方から取付板部５０の孔部５１にボルト９０を差し込み、横桟４のフランジ部３４，３４を介した上部の内部ナット１０のネジ孔部５３に螺着する。なお、このボルト９０にワッシャー９１を介在させてもよい。上記ボルト９０を強く締結する前には、横桟金具８は内部ナット１０とともに、横桟４の溝部３６を左右に移動可能である。そして、所望する固定位置に横桟金具８を移動させた後、工具を用いてボルト９０を内部ナット１０に締結して横桟金具８をその位置に取付ける。
この状態で、横桟４のフランジ部３４，３４が、内部ナット１０と横桟金具８の取付板部５０とによって挟持され、横桟金具８が固定される。また、横桟金具８の両支持板部４８，４８は、横桟８の上部から上方に突出した形態となる。
横桟４の他方側端部についても、同様にして横桟金具８（及び内部ナット１０）を固定する。
【００４６】
一方、縦桟２は前後方向かつフランジ部２８，２８を下側に向けて配置されており、この縦桟２の前方側端部の近傍に縦桟金具６を取り付ける。先ず、縦桟２の内部（フランジ部２８の上部）に内部ナット１０を配置する。この内部ナット１０は、屈曲片５６，５６を縦桟２の側板部に沿う形状に配置する。この内部ナット１０は、縦桟２の内部ではプレート体５２の端部が縦桟２の側板部に当たって回転は阻止される。
【００４７】
そして、縦桟２の下部に縦桟金具６を装着する。詳しくは、横桟金具６の両突起片４１，４２を縦桟２の溝部３０に嵌め込み、取付板部３８を縦桟２のフランジ部２８，２８の下部に押し当てる。このとき、内部ナット１０の真下に縦桟金具６の取付板部３８（延長部３９）が位置するように配置する。
【００４８】
さらに、下方から上記取付板部３８の孔部４３にボルト９０を差し込み、縦桟２のフランジ部２８，２８を介した上部の内部ナット１０のネジ孔部５３に螺着する。このボルト９０を強く締結する前には、縦桟金具６は内部ナット１０とともに、縦桟２の溝部３０を前後に移動可能である。そして、所望する固定位置に縦桟金具６を移動させた後、ボルト９０を内部ナット１０に締結して縦桟金具６をその位置に取付ける。
【００４９】
この状態で、縦桟２のフランジ部２８，２８が、内部ナット１０と縦桟金具６の取付板部３８とによって挟持され、縦桟金具６が固定される。また、縦桟金具６の両支持板部４０，４０は、縦桟２の下部から下方に突出した形態となる。他の縦桟２の前方側端部についても、同様にして縦桟金具６（及び内部ナット１０）を固定する。
このように、内部ナットを用いた連結方法は、作業効率が良くかつ強固に連結することができ、また縦桟金具等を縦桟（横桟）の任意の位置に自由自在に取り付け可能なため、自由度が高く、太陽発電パネルの設置位置及び設置角度の調整が自由自在に行える。
【００５０】
そして、上記横桟金具８及び縦桟金具６により、縦桟２とこれと直角に交差する横桟４とを連結する。
この場合、上記横桟４の一方端部の上部に上記縦桟２を配置するとともに、横桟４に取り付けた横桟金具８の上部の両支持板部４８，４８に、上記縦桟２に取り付けた縦桟金具６の両支持板部４０，４０を挟ませ、各支持板部の孔部４９，４４を連通させた状態で一方からボルト９２を挿通し他方からナット９３をボルト９２に締結する。なお、このナット９３にワッシャー９１を介在させてもよい。
これにより、横桟４に取り付けた横桟金具８に対して縦桟２に取り付けた縦桟金具６をボルト９２で回動自在に軸支する。なお、このボルト９２に変えてピン等を用いることができる。
【００５１】
このように、横桟４の上部にこれと直交する縦桟２が連結され、また固定された横桟４に対して縦桟２はその傾斜角度を自在に設定することができる。また、縦桟２への縦桟金具６の取付け位置及び、横桟４への横桟金具８の取付け位置はそれぞれ自由に決められ、自由度、拡張性にも優れる。上記横桟４の他方の端部についても、同様にして縦桟２を連結する。
【００５２】
また、縦桟２の前方端部近傍にはパネル固定金具１２を取り付ける。このパネル固定金具１２は、太陽発電パネル３を架台に固定する際に用いられる。
先ず、縦桟２の内部（フランジ部２８の上部）に内部ナット１０を配置する。この内部ナット１０は、屈曲片を縦桟２の側板部に沿う形状に配置する。そして、パネル固定金具１２を、その屈曲片６０と縦板部６１によって縦桟２の側板部を挟む状態で、取付板部５８を縦桟２のフランジ部２８，２８に押し当てる。このとき、内部ナット１０の下方にパネル固定金具１２の取付板部５８が位置するように配置する。
【００５３】
さらに、下方から取付板部５８の孔部６３にボルト９０を差し込み、上部の内部ナット１０のネジ孔部５３に螺着する。ボルト９０を締結する前に、パネル固定金具１２とともに内部ナット１０を縦桟２の溝部３０を前後に移動させ、所望する位置において工具を用いてボルト９０を内部ナット１０に締結してパネル固定金具１２を固定する。この状態で、パネル固定金具１２の固定板部６２は、縦桟２の上部から外向きに突出した翼状の形態となる。
他方の縦桟２についても、同様にしてパネル固定金具１２（及び内部ナット１０）を固定する。
図４は、上記縦桟金具６及び横桟金具８を用い、上記縦桟２に対して上記横桟４を直角方向に接続した状態を示すものである。
【００５４】
図６は、支持柱１８の下部と柱受横桟２０との接続形態、及びこの支持柱１８と補助柱２２との接続形態を示すものである。
上記柱受横桟２０は、両端部近傍をそれぞれ支持脚１６により支持されている。上述（横桟４に対する支持脚１６の取付け）したように、支持脚１６は、横桟受け金具１４及び内部ナット１０を用いて取り付けられる。
【００５５】
先ず、柱受横桟２０の内部（フランジ部３４の上部）に内部ナット１０（２個）を配置し、下方から横桟受け金具１４の底板部６６の孔部６８にボルト９２を差し込み、上部の手前側の内部ナット１０のネジ孔部５３に締結する。こうして、柱受横桟２０に横桟受け金具１４を装着する。
そして、支持脚１６のボルト材７２を横桟受け金具１４の底板部６６の奥側の孔部６８から差し込み、上部の奥側の内部ナット１０のネジ孔部５３にねじ込み、ボルト材７２に取り付けられたナット９４を回して支持脚１６を取り付ける。このナット９４の締結により、柱受横桟２０が支持脚１６に固定される。
【００５６】
次に、柱受横桟２０の左右端部の近傍に、それぞれ上記（横桟４に対する横桟金具８の取付け）と同様に横桟金具８を取り付ける。柱受横桟２０はフランジ部３４，３４を下側に向けて配置されており、この柱受横桟２０の内部（フランジ部３４の上部）に内部ナット１０を配置し、横桟金具８を、その基板部４６と取付板部５０によって柱受横桟２０の上面部及び下面部を挟む状態で、柱受横桟２０にはめ込む。
そして、下方から取付板部５０の孔部５１にボルト９０を差し込み、上部の内部ナット１０のネジ孔部５３にねじ込んで横桟金具８を固定する。
【００５７】
この後、支持柱１８の下端部の両支持板部７５，７５に、上記柱受横桟２０に取り付けた横桟金具８の両支持板部４８，４８を挟ませ、各支持板部の孔部７６，４９を連通させた状態で一方からボルト９２を挿通し他方からナット９３をボルト９２に締結する。これにより、柱受横桟２０に固定した横桟金具８に対して支持柱１８をボルト９２により回動自在に軸支する。なお、このボルト９２に変えてピン等を用いることができる。
このように、柱受横桟２０と支持柱１８とを連結することで、固定された柱受横桟２０に対して支持柱１８はその傾斜角度を自在に設定することができる。
柱受横桟２０の他方の端部についても、同様にして支持柱１８を連結する。
【００５８】
次に、支持柱１８に補助柱２２の下端部を接続する形態について説明する。
この場合、支持柱１８に縦桟金具６を取り付け、これに補助柱２２の下端部を連結する。先ず、支持柱１８の内部（フランジ部７８の内部）に上記と同様にして内部ナット１０を配置する。そして、縦桟金具６の両突起片４１，４２を支持柱１８の溝部７９に嵌め込み、取付板部３８を支持柱１８のフランジ部７８，７８に当て、取付板部３８の孔部４３からボルト９０を差し込み、フランジ部７８裏の内部ナット１０のネジ孔部５３に螺着する。このとき、支持柱１８の所望する固定位置に縦桟金具６（内部ナット１０）を移動させた後、ボルト９０を内部ナット１０に締結して縦桟金具６を固定する。
【００５９】
この後、補助柱２２の下端部の両支持板部８４，８４に、上記支持柱１８に取り付けた縦桟金具６の両支持板部４０，４０を挟ませ、各支持板部の孔部８５，４４を連通させた状態で一方からボルト９２を挿通し他方からナット９３を締結する。これにより、支持柱１８の縦桟金具６に対して補助柱２２をボルト９２で回動自在に軸支する。なお、このボルト９２に変えてピン等を用いることができる。
このように、支持柱１８と補助柱２２とを連結することで、支持柱１８に対して補助柱２２はその傾斜角度を所定範囲で自在に設定することができる。他方の支持柱１８についても、同様にして補助柱２２を連結する。
【００６０】
図８は、縦桟２の後端部と支持柱１８の上部との接続形態を示すものである。
縦桟２は、上記縦桟金具６を用いて支持柱１８に連結する。この縦桟金具６は、縦桟２の後端部近傍の下部に取り付けられる。
先ず、縦桟２の内部（フランジ部２８の上部）に内部ナット１０を、その屈曲片５６，５６を縦桟２の側板部に沿う形状に配置する。そして、縦桟金具６の両突起片４１，４２を縦桟２の溝部３０に嵌め込み、取付板部３８を縦桟２のフランジ部２８の下部に押し当てる。このとき、内部ナット１０の下方に縦桟金具６の取付板部３８（延長部３９）が位置するように配置する。
【００６１】
次に、下方から縦桟金具６の取付板部３８に設けた孔部４３からボルト９０を差し込み、上部の内部ナット１０のネジ孔部５３に螺着する。ボルト９０を締結する前には、縦桟金具６は内部ナット１０とともに、縦桟２の溝部３０を前後に移動させ、所望する固定位置でボルト９０を内部ナット１０に締結して縦桟金具６を固定する。
この状態で、縦桟金具６の両支持板部４０，４０は、縦桟２の下部から下方に突出した形態となる。他の縦桟２の後方端部についても、同様にして縦桟金具６（及び内部ナット１０）を固定する。
【００６２】
次に、上記縦桟２に取付けた縦桟金具６の下に支持柱１８を配置し、この支持柱１８の上部の両支持板部８０，８０に上記縦桟金具６の両支持板部４０，４０を挟ませる。そして、各支持板部の孔部４４，８１を連通させた状態で、一方からボルト９２を挿通し他方からナット９３をボルト９２に締結する。これにより、縦桟２に固定した縦桟金具６に対して支持柱１８をボルト９２で回動自在に軸支する。なお、このボルト９２に変えてピン等を用いることができる。
【００６３】
このように、縦桟２の後端部近傍に支持柱１８を連結するとともに、縦桟２を支持柱１８によって支持する。また、縦桟２に対して支持柱１８はその角度を自在に設定することができる。このため、縦桟２に取付けた上記縦桟金具６の位置を前後に移動させることにより、縦桟２に対する支持柱１８の角度が変わり、縦桟２の傾斜角度を所定範囲で変えることができる。
【００６４】
また、縦桟２の後方端部近傍にパネル固定金具１２を取り付ける。先ず、縦桟２の内部（フランジ部２８の上部）に内部ナット１０を配置する。そして、パネル固定金具１２の取付板部５８を縦桟２の下部に当て、下方から取付板部５８の孔部６３にボルト９０を差し込み、上部の内部ナット１０のネジ孔部５３に螺着する。このボルト９０を強く締結する前には、パネル固定金具１２は内部ナット１０とともに縦桟２の溝部３０を前後に移動可能である。そして、所望する固定位置にパネル固定金具１２を移動させた後、ボルト９０を内部ナット１０に締結してパネル固定金具１２を固定する。
他方の縦桟についても、同様にして支持柱１８を連結し、またパネル固定金具１２（及び内部ナット１０）を固定する。
【００６５】
図９は、縦桟２の中間部において、上記補助柱２２の上端部を接続する形態を示したものである。この場合、縦桟２には縦桟金具６を取り付けこれに補助柱２２の上端部を連結する。
先ず、縦桟２の中間部の所定位置の内部（フランジ部２８の上部）に内部ナット１０を配置する。この内部ナット１０は、縦桟２の溝部３０或いは縦桟２の端部から嵌め入れる。そして、縦桟金具６の両突起片４１，４２を縦桟２の溝部３０に嵌め込み、取付板部３８をフランジ部２８，２８の下部に当て、下方から取付板部３８の孔部４３にボルト９０を差し込み、上部の内部ナット１０のネジ孔部５３に螺着する。そして、縦桟２の所望する固定位置に縦桟金具６（内部ナット１０）を移動させた後、ボルト９０を内部ナット１０に締結して縦桟金具６を固定する。
【００６６】
この後、補助柱２２の上端部の両支持板部８４，８４に、上記縦桟２に取り付けた縦桟金具６の両支持板部４０，４０を挟ませ、各支持板部の孔部８１，４４を連通させた状態で一方からボルト９２を挿通し他方からナット９３を締結する。なお、このボルトに変えてピン等を用いることができる。
このように、縦桟２と補助柱２２とを連結することで、縦桟２に対して補助柱２２はその傾斜角度を所定範囲で自在に設定することができる。他方の縦桟２についても、同様にして補助柱２２を連結する。
【００６７】
上記の各接続形態に係る連結手段により取付架台１が組み立てられる。最後に、左右の支持柱１８間に水平ブレース２４を架設し、併せて支持柱１８間に２本の斜めブレース２５，２５をクロス状に架設し、それぞれボルト等で止着し、架台を補強する。
【００６８】
図１０は、上記太陽発電パネルの取付架台１の一部に太陽発電パネル３を取り付けた状態を示したものである。この取付架台１は、現場で組立てることもでき、また工場などで組立てたものを現場に運んで使用することも可能である。
上記取付架台１は、支持脚１６が４箇所配置されており、各支持脚１６はそれぞれコンクリート製の支持台１７の上部に配置されている。このような支持台１７を用いるのは、上記取付架台１を屋根上等に取り付ける形態の一例であり、他には、支持台に替えて屋根瓦などの形状にそった形状の支持材を用いたり、或いは支持脚１６に変えて、屋根形状に沿って屈曲した形状の支持部材を用いることもできる。
【００６９】
ここで例えば、上記取付架台１を住宅の屋根に配置する場合には、上記支持台１７をそれぞれ屋根上の所定位置に配置し、各支持台１７の上部に取付架台１の各支持脚１６を載置する。
この場合、屋根は所定の傾斜角度を有しているため、取付架台１についても多少の角度調整が必要になる場合がある。このときには、縦桟２の縦桟金具６と支持柱１８とを連結するボルト及び縦桟２に縦桟金具６を締結するボルトを緩め、また、縦桟２の縦桟金具６と補助柱２２とを連結するボルト及び縦桟２に縦桟金具６を締結するボルトを緩めると、各縦桟金具６を縦桟２の溝部に沿って移動させることができる。
【００７０】
この縦桟金具６の移動により、縦桟２に対する支持柱１８の角度を調整することができ、これにより縦桟２の傾斜角度を必要な角度に変更し設定することができる。上記縦桟金具を締結するボルト等を再度締結すれば、縦桟２の傾斜角度が固定される。
また、支持脚１６に固定された柱受横桟２０に対して、支持柱１８は角度自在に連結されていることから、例えば支持脚１８が多少傾く場合に、支持柱１８を鉛直方向に向けるなどの角度調整することも可能である。
【００７１】
従って、上記太陽発電パネルの取付架台１によれば、構造が簡単で加工性に優れ、縦桟及び横桟のそれぞれ長手方向の自由な箇所で、縦桟と横桟とを連結することができるため拡張性に優れ、また縦桟金具及び横桟金具等の取付けも容易で施工性にも優れ、加えて縦桟の傾斜角度も自由に変えられ利便性にも優れるという効果がある。
またこの取付架台１は、縦桟に対するパネル固定金具の取付け位置を自由に設定できるため、太陽発電パネルの設置位置が自在となり、また縦桟に対する縦桟の取付け位置を、簡単に縦桟の長尺方向にずらすことが出来、これによって縦桟の角度を容易に変更することができて利便性が良い。
【００７２】
図１１は、他の実施の形態に係る縦桟１０２と横桟１０４との接合形態を示すものである。
この接合形態には、図１２に示す縦桟金具１０６、横桟金具１０８、及び内部ナット１１０等が用いられる。
【００７３】
上記縦桟１０２は、上板部１１２、縦板部１１３、下板部１１４及び上下の両フランジ部１１５，１１５からなる断面Ｃ字状の長尺状の鋼材である。この縦桟１０２は、断面が略矩形状であり、上記両フランジ部１１５，１１５同士の間は開口し溝部１２０が形成されている。
上記横桟１０４は、上板部１１６、縦板部１１７、下板部１１８及び上下の両フランジ部１１９，１１９からなる断面Ｃ字状の長尺状の鋼材である。この横桟１０４は、断面が略矩形状であり、上記両フランジ部１１９，１１９同士の間は開口し溝部１２１が形成されている。
【００７４】
上記縦桟金具１０６は、矩形状の基部１２２の左右端部からそれぞれ上方に向けて平行に形成された取付板部１２３、保持板部１２８及び、基部１２０の左右端部からそれぞれ下方に向けて平行に形成された支持板部１２４，１２４を有している。これら各支持板部１２４の中央には、それぞれ孔部１２７が形成されている。また、上記取付板部１２３には、中央に孔部１２５が形成され、側端部の中央には突起片１２６が内側に屈曲形成されている。なお、上記保持板部１２８を設けない形態も可能である。
【００７５】
上記横桟金具１０８は、矩形状の基部１３０の左右端部からそれぞれ上方に向けて平行に形成された支持板部１３２，１３２及び、基部１３０の前後端部からそれぞれ下方に向けて平行に形成された取付板部１３４、保持板部１３３を有している。上記各支持板部１３２の中央には、それぞれ孔部１３７が形成されている。また、上記取付板部１３４には、中央に孔部１３５が形成され、側端部の中央には突起片１３６が内側に屈曲形成されている。なお、上記保持板部１３３を設けない形態も可能である。
【００７６】
上記内部ナット１１０は、基本的な形態については上記内部ナット１０と同様、プレート体５２の表面にナット５４を固着して両者を一体化したものであり、ネジ孔部５３、屈曲片５６，５６などを有している。さらにこの内部ナット１１０には、プレート体５２の基板部５５の両側の中央部がそれぞれ切り欠かれて凹部１３８が形成されている。
【００７７】
上記横桟１０４は、フランジ部１１９，１１９を横に向けて配置されており、この横桟１０４に上記横桟金具１０８を取り付ける。先ず、横桟１０４の内部（フランジ部１１９の内側）に内部ナット１１０を配置する。この内部ナット１１０は、屈曲片５６，５６を横桟１０４の上板部１１６及び下板部１１８の内部面に沿う形状に配置する。この内部ナット１１０は、プレート体５２の端部が横桟１０４の内壁部に当たって回転は阻止される。
【００７８】
次に、横桟金具１０８を、その取付板部１３４，１３４により横桟１０４のフランジ部１１９及び縦板部１１７を挟む状態で、上から横桟１０４にはめ込む。このとき、上記内部ナット１１０の真横に横桟金具１０８の取付板部１３４が位置するように配置し、また取付板部１３４の突起片１３６を横桟１０４の溝部１２１に嵌合させる。この突起片１３６は、内部ナット１１０の凹部１３８とも係合し、両者の固定を安定させる。
【００７９】
ここで、横桟金具１０８の取付板部１３４の孔部１３５からボルト９０を差し込み、横桟１０４のフランジ部１１９，１１９を挟む内部ナット１１０のネジ孔部５３に螺着する。そして、横桟１０４の所望する固定位置に横桟金具１０８（内部ナット１１０）を移動させた後、ボルト９０を内部ナット１１０に締結して横桟金具１０８をその位置に固定する。
この状態で、横桟１０４に横桟金具１０８が固定され、横桟金具１０８の両支持板部１３２，１３２は、横桟１０４の上部から上方に突出した形態となる。
【００８０】
一方、上記縦桟１０２は、フランジ部１１５，１１５を横に向けて配置されており、この縦桟１０２に上記縦桟金具１０６を取り付ける。先ず、縦桟１０２の内部（フランジ部１１５の内側）に内部ナット１１０を配置する。この内部ナット１１０は、屈曲片５６，５６を縦桟１０２の上板部１１２及び下板部１１４に沿う形状に配置する。この内部ナット１１０は、プレート体５２の端部が縦桟１０２の内壁部に当たって回転は阻止される。
【００８１】
次に、縦桟金具１０６の取付板部１２３，１２３により、縦桟１０２のフランジ部１１５及び縦板部１１３を挟む状態で、下から縦桟１０２にはめ込む。このとき、上記内部ナット１１０の真横に縦桟金具１０６の取付板部１２３が位置するように配置し、また取付板部１２３の突起片１２６を縦桟１０２の溝部１２０に嵌合させる。
【００８２】
ここで、縦桟金具１０６の取付板部１２３の孔部１２５からボルト９０を差し込み、縦桟１０２のフランジ部１１５，１１５を挟む内部ナット１１０のネジ孔部５３に螺着する。そして、縦桟１０２の所望する固定位置に縦桟金具１０６（内部ナット１１０）を移動させた後、ボルト９０を内部ナット１１０に締結して縦桟金具１０６を固定ける。
この状態で、縦桟１０２に縦桟金具１０６が固定され、縦桟金具１０６の両支持板部１２４，１２４は、縦桟１０２の下部から下方に突出した形態となる。
【００８３】
そして、上記横桟金具１０８及び縦桟金具１０６により、横桟１０４とこれと直角に交差する縦桟１０２とを連結する。この場合、横桟１０４の上部に縦桟１０２を配置するとともに、横桟１０４に取り付けた横桟金具１０８の上部の両支持板部１３２，１３２に、縦桟１０２に取り付けた縦桟金具１０６の両支持板部１２４，１２４を合わせ、各支持板部の孔部１３７，１２７を連通させた状態で一方からボルト９２を挿通し他方からナット９３をボルト９２に締結する。
【００８４】
これにより、横桟１０４に取り付けた横桟金具１０８に対して縦桟１０２に取り付けた縦桟金具１０６をボルト９２で回動自在に軸支する。なお、このボルト９２に変えてピン等を用いることができる。
このように、横桟１０４のフランジ部１１９が横向きの形態であり、また縦桟１０２のフランジ１１５が横向きの形態であっても、それぞれ横桟金具１０８、縦桟金具１０６を用いることにより、横桟１０４にこれと直交する縦桟１０２を連結することができる。
したがって、横桟及び縦桟の各フランジ部の向き（下向き、横向き）にかかわらず、横桟金具、縦桟金具及び内部ナットを用いることで、横桟と縦桟とを上記と同様に連結することは可能である。
【００８５】
図１３は、他の形態に係る柱受横桟１４０と支持柱１８、及び柱受横桟１４０と支持脚１６との接続形態を示すものである。この接続形態には、図１４に示す横桟金具１４２、内部ナット１４４、横桟受け金具１４６などが用いられる。
【００８６】
上記柱受横桟１４０は、上板部１５０、縦板部１５１、下板部１５２及び上下の両フランジ部１５４，１５４からなる断面Ｃ字状の長尺状の鋼材である。この柱受横桟１４０は、全体に断面が縦に長い長方形状であり、上記両フランジ部１５４，１５４同士の間は開口し溝部１５５が形成されている。
【００８７】
上記横桟金具１４２は、矩形状の基部１６０の左右端部からそれぞれ上方に向けて平行に形成された支持板部１６２，１６２及び、基部１６０の前後端部からそれぞれ下方に向けて平行に形成された取付板部１６４，１６４を有している。上記各支持板部１６２の中央には、それぞれ孔部１６５が形成されている。また、上記各取付板部１６４には、それぞれ上部と下部に孔部１６６、孔部１６７が形成されている。
【００８８】
上記内部ナット１４４は、平面が略長方形状で断面コ字状のプレート体１７０の表面にナット５４を固着して両者を一体化したものである。このプレート体１７０は、基部１７２の左右側には同じ方向に屈曲された屈曲片１７４，１７４が形成され、また対角上の各角部がそれぞれ切欠かれて切欠部１７３が形成されている。また、基部１７２の中央には孔部が形成されている。このプレート体１７０の基部１７２の中央には、屈曲片１７４が形成された側に、ナット５４がそのネジ孔部５３と基部１７２の孔部とを貫通する状態で配置され、両者が溶接或いはかしめにより固着されている。
【００８９】
上記横桟受け金具１４６は、矩形状の底板部１８０及びこの左右両端部からそれぞれ上方に屈曲形成される取付板部１８２，１８２からなる断面コ字形の鋼材である。上記底板部１８０の下面部にはナット１８４が溶着されている。また、上記各取付板部１８２には、それぞれ上部と下部に孔部１８６、孔部１８７が形成されている。
【００９０】
ここで、支持脚１６と柱受横桟１４０との取り付け形態について説明する。
この柱受横桟１４０は、フランジ部１５４，１５４を横に向けて配置され、支持脚１６は、横桟受け金具１４６を用いて柱受横桟１４０に取り付ける。先ず、横桟受け金具１４６の両取付板部１８２，１８２によって柱受横桟１４０の両側面部を挟み、底板部１８０によって柱受横桟１４０の下面を保持するように配置する。
【００９１】
そして、柱受横桟１４０の端部（又は溝部１５５）から、柱受横桟１４０の内部（フランジ部１５４の内側）に内部ナット１４４を配置する。この内部ナット１４４のネジ孔部５３は、柱受横桟１４０のフランジ部１５４，１５４を介した横桟受け金具１４６の孔部１８７の位置と合うようにする。
【００９２】
ここで、横桟受け金具１４６の取付板部１８２の孔部１８７にボルト９０を差し込み、柱受横桟１４０のフランジ部１５４を介した内部ナット１４４のネジ孔部５３に螺着する。そして、所望する固定位置に横桟受け金具１４６（内部ナット１４４）を移動させ、工具を用いてボルト９０を内部ナット１４４に強く締結して横桟受け金具１４６を柱受横桟１４０に取り付ける。また、柱受横桟１４０の上部より突出した横桟受け金具１４６の取付板部１８２，１８２の孔部１８６，１８６間にボルト９２を挿通し、ナット９３を締結してこの部位を締付ける。
【００９３】
この状態で、柱受横桟１４０のフランジ部１５４，１５４が、内部ナット１４４と横桟受け金具１４６の取付板部１８２とによって挟持され、横桟受け金具１４６が柱受横桟１４０に固定される。
そして、支持脚１６のボルト材７２を、横桟受け金具１４６の下部に取り付けたナット１８４のネジ孔部に螺着して支持脚１６を固定する。
【００９４】
次に、上記柱受横桟１４０と支持柱１８との取付形態について説明する。
この柱受横桟１４０はフランジ部１５４，１５４を横に向けて配置されており、この柱受横桟１４０の側面部を挟む状態で、横桟金具１４２の取付板部１６４，１６４を柱受横桟１４０にはめ込む。また、柱受横桟１４０の内部（フランジ部１５４の内側）に内部ナット１４４を配置する。この内部ナット１４４は、プレート体１７０の長い部位が柱受横桟１４０のフランジ部１５４，１５４に当接するように回して配置する。
【００９５】
また、内部ナット１４４のプレート体１７０の端部の両短辺部はそれぞれ柱受横桟１４０の上下の内壁に当接して、内部ナット１４４が回転しないように形成されている。
そして、横桟金具１４２の取付板部１６４の孔部１６６にボルト９０を差し込み、柱受縦桟１４０のフランジ部１５４，１５４を介した内部ナット１４４のネジ孔部５３に螺着する。そして、所望する固定位置に縦桟金具１４２（内部ナット１４４）を移動させた後、ボルト９０を内部ナット１４４に締結して縦桟金具１４２を固定する。
また、柱受横桟１４０の下部より突出した横桟金具１４２の取付板部１６４，１６４の孔部１６７，１６７間にボルト９２を挿通し、ナット９３を締結してこの部位を締付ける。
【００９６】
この後、支持柱１８の下端部の両支持板部７５，７５に、上記柱受横桟１４０に取り付けた横桟金具１４２の両支持板部１６２，１６２を合わせ、各支持板部の孔部７６，１６５を連通させた状態で一方からボルト９２を挿通し他方からナット９３をボルト９２に締結する。これにより、柱受横桟１４０に固定した横桟金具１４２に対して支持柱１８をボルト９２により回動自在に軸支する。なお、このボルト９２に変えてピン等を用いることができる。
このように、柱受横桟１４０と支持柱１８とを連結することで、固定された柱受横桟１４０に対して支持柱１８はその傾斜角度を自在に設定することができる。
【００９７】
したがって、断面が上下に長く、且つフランジ部が横向き形成された柱受横桟１４０であっても、内部ナットを用いることでこれに横桟金具を取り付けることができ、柱受横桟１４０に支持柱１８を連結することができる。
また、この形態は、柱受横桟に限らず横桟についても適用可能である。
【符号の説明】
【００９８】
２，１０２  縦桟
４，１０４  横桟
６，１０６  縦桟金具
８，１０８  横桟金具
１０，１１０，１４４  内部ナット
１２  パネル固定金具
１８  支持柱
【図１】
0005457285.tif 000002
【図２】
0005457285.tif 000003
【図３】
0005457285.tif 000004
【図４】
0005457285.tif 000005
【図５】
0005457285.tif 000006
【図６】
0005457285.tif 000007
【図７】
0005457285.tif 000008
【図８】
0005457285.tif 000009
【図９】
0005457285.tif 000010
【図１０】
0005457285.tif 000011
【図１１】
0005457285.tif 000012
【図１２】
0005457285.tif 000013
【図１３】
0005457285.tif 000014
【図１４】
0005457285.tif 000015
【図１５】
0005457285.tif 000016